(57)【要約】【課題】リード線をプリント配線基板上で保持する作業を簡略化して半田付け作業の効率を高めることができる電子機器を提供する。【解決手段】電子機器は、基板面にランド５が配置されたプリント配線基板１と、プリント配線基板１を位置決め保持する基板保持部材４と、を備える。プリント配線基板１には、ランド５の近傍に穴部８が貫通して設けられる。基板保持部材４には、プリント配線基板１を位置決め保持した状態で穴部８を挿通してプリント配線基板１の基板面から突出し、ランド５に電気的に接続するためのリード線３を保持する保持部７を設ける。【選択図】図３
2012124415.tif 000002
【特許請求の範囲】
【請求項１】
基板面にランドが配置されたプリント配線基板と、
前記プリント配線基板を位置決め保持する基板保持部材と、を備え、
前記プリント配線基板には、前記ランドの近傍に穴部が貫通して設けられ、
前記基板保持部材には、前記プリント配線基板を位置決め保持した状態で前記穴部を挿通して前記プリント配線基板の基板面から突出し、前記ランドに電気的に接続するためのリード線を保持する保持部を設けることを特徴とする電子機器。
【請求項２】
前記保持部は、前記リード線が前記ランドを通る線の方向を向くように前記リード線を保持することを特徴とする請求項１に記載の電子機器。
【請求項３】
前記保持部は、少なくとも前記リード線の接触面が円弧面で形成されることを特徴とする請求項１又は２に記載の電子機器。
【請求項４】
前記プリント配線基板の基板面から突出する前記保持部の突出量を前記リード線の線径より大きくしたことを特徴とする請求項１乃至３のいずれか一項に記載の電子機器。
【請求項５】
前記保持部は、前記基板保持部材と同一の部材で前記基板保持部材に一体に設けることを特徴とする請求項１乃至４のいずれか一項に記載の電子機器。
【請求項６】
前記プリント配線基板には、ストロボ用昇圧回路が配線されることを特徴とする請求項１乃至５のいずれか一項に記載の電子機器。
【請求項７】
前記基板保持部材は、電子機器の電池収納部材であることを特徴とする請求項１乃至６のいずれか一項に記載の電子機器。
【発明の詳細な説明】
【技術分野】
【０００１】
本発明は、プリント配線基板のランドにリード線を半田付けする際にリード線を保持する電子機器に関する。
【背景技術】
【０００２】
プリント配線基板のランドにリード線を手作業で半田付けする場合、ランドに対するリード線の半田位置にずれが生じたり、リード線がランドから浮いたりして、リード線とランドとの間に十分な合金層が形成されず、半田不良が発生しやすい。
【０００３】
そこで、図５に示す半田付け用の補助工具２２が提案されている（特許文献１）。この補助工具２２は、プリント配線基板２１に形成された穴部２４に係止される係止部２２ａと、リード線２３を保持する保持部２２ｂとを備える。
【０００４】
そして、保持部２２ｂでリード線２３を挟持して保持し、この状態で、リード線２３の先端がランド２５の中央部に位置するように保持位置を調整して係止部２２ｂを基板保持部材２６に保持されたプリント配線基板２１の穴部２４に係止する。これにより、作業者はリード線２３を手で持つ必要がなく、例えば右手で半田こてを持ち、左手で半田を持ってリード線２３をランド２５に押し付けることで、リード線２３の半田付け作業を行うことが可能となる。
【先行技術文献】
【特許文献】
【０００５】
【特許文献１】特開平５−２０６６２８号公報
【発明の概要】
【発明が解決しようとする課題】
【０００６】
しかし、上記特許文献１では、リード線２３をプリント配線基板２１上で保持する際には、保持部２２ｂでリード線２３を保持する作業、保持位置を調整する作業、及び係止部２２ａをプリント配線基板２１の穴部２４に係止する作業が必要となる。このため、半田付け作業の効率が低下する。
【０００７】
そこで、本発明は、リード線をプリント配線基板上で保持する作業を簡略化して半田付け作業の効率を高めることができる電子機器を提供することを目的とする。
【課題を解決するための手段】
【０００８】
上記目的を達成するために、本発明の電子機器は、基板面にランドが配置されたプリント配線基板と、前記プリント配線基板を位置決め保持する基板保持部材と、を備え、前記プリント配線基板には、前記ランドの近傍に穴部が貫通して設けられ、前記基板保持部材には、前記プリント配線基板を位置決め保持した状態で前記穴部を挿通して前記プリント配線基板の基板面から突出し、前記ランドに電気的に接続するためのリード線を保持する保持部を設けることを特徴とする。
【発明の効果】
【０００９】
本発明によれば、リード線をプリント配線基板上で保持する作業を簡略化することができるので、半田付け作業の効率を高めることができる。
【図面の簡単な説明】
【００１０】
【図１】本発明の実施形態の一例である電子機器の斜視図である。
【図２】ストロボ昇圧回路のブロック図である
【図３】図１に示す電子機器の一部を拡大した斜視図である。
【図４】図３を上方から見た平面図である。
【図５】（ａ）は従来の半田付け用補助工具を用いてプリント配線基板でリード線を保持した状態を示す斜視図、（ｂ）は半田付け用補助工具を示す図である。
【発明を実施するための形態】
【００１１】
以下、本発明の実施形態の一例を図面を参照して説明する。
【００１２】
図１に示すように、本実施形態の電子機器は、プリント配線基板１と、プリント配線基板１を位置決め保持する基板保持部材４とを備える。基板保持部材４の保持面には、プリント配線基板１に形成された位置決め穴１ａが嵌め込まれる位置決めダボ４ａが突設されている。
【００１３】
そして、プリント配線基板１の位置決め穴１ａを基板保持部材４の位置決めダボ４ａに嵌め込んだ状態で、ねじ６等によりプリント配線基板１を基板保持部材４に締結することにより、基板保持部材４に対してプリント配線基板１が位置決め保持される。
【００１４】
ここで、基板保持部材４は、半田付け作業の専用の部材としてもよいが、特に限定されない。本実施形態では、基板保持部材４として、デジタルカメラ等の電子機器の電池収納部材を採用し、また、プリント配線基板１として、ストロボ用昇圧回路が配線された基板を採用している。
【００１５】
図２は、ストロボ用昇圧回路２０の一例を示すブロック図である。図２に示すように、ストロボ用昇圧回路２０は、電池収納部材に収納された電池１５の電圧を昇圧インバータ１６にて交流電圧に変換して昇圧し、昇圧した交流電圧をダイオード１７で整流してコンデンサ１８にチャージさせる。そして、コンデンサ１８にチャージされた交流電圧をキセノン管１９に放電することで、キセノン管１９を発光させることができる。
【００１６】
このとき、キセノン管１９を含むストロボ用昇圧回路２０には、大きな電流が流れため、キセノン管１９への接続は、図１に示すように、プリント配線基板１のランド５にリード線３を半田付けすることで行われる。
【００１７】
図３は図１に示す電子機器の一部を拡大した斜視図、図４は図３を上方から見た平面図である。
【００１８】
図３及び図４に示すように、プリント配線基板１のランド５の近傍には、穴部８が貫通して設けられている。なお、穴部８の形状は、特に限定されず、例えば切欠き状の穴部であってよい。また、基板保持部材４には、プリント配線基板１の長穴状の穴部８を挿通してプリント配線基板１の基板面から突出する一対の柱部７が設けられている。本実施形態では、一対の柱部７は、基板保持部材４と同一の部材で基板保持部材４と一体に設けられている。ここで、一対の柱部７は、本発明の保持部の一例に相当する。
【００１９】
一対の柱部７は、プリント配線基板１の穴部８を挿通した状態では、穴部８の長手方向の両側に配置されて、その間隔が、リード線３を挟持して保持できる間隔に設定されている。
【００２０】
ここで、一対の柱部７の少なくともリード線３の接触面を円弧面としてリード線３の被覆の破損を防止するため、本実施形態では、一対の柱部７を円柱形状としている。
【００２１】
また、本実施形態では、プリント配線基板１の基板面から突出する柱部７の突出量をリード線３の線径より大きくすることで、リード線３を確実に保持することができる。
【００２２】
更に、本実施形態では、プリント配線基板１の基板面から突出する一対の柱部７を結ぶ線の方向Ａとランド５の略中心を通る線の方向Ｂとが直交するように一対の柱部７及び穴部８を形成している。これにより、一対の柱部７に保持されたリード線３に負荷がかかり難くするとともに、保持後のリード線３の位置をずれ難くしている。
【００２３】
そして、リード線３をプリント配線基板１のランド５に半田付けする際には、作業者がリード線３の先端の位置をランド５の略中央に合わせ、この状態で、一対の柱部７の間にリード線３を挟みこむ。これにより、リード線３の先端をランド５の位置に合せた状態で一対の柱部７でリード線３を保持することができる。
【００２４】
その後、作業者は、リード線３を手で持つ必要がなく、例えば右手で半田こてを持ち、左手で半田を持ってリード線３をランド５に押し付けて半田付け作業を行う。これにより、リード線３がランド５に電気的に接続される。
【００２５】
以上説明したように、本実施形態では、リード線３の先端の位置をランド５の略中央に合わせた状態で、一対の柱部７の間にリード線３を挟みこむだけで、リード線３をプリント配線基板１上で保持して半田付け作業を開始することができる。このため、リード線３をプリント配線基板１上で保持する作業が簡略化されて、半田付け作業の効率を高めることができる。
【００２６】
また、本実施形態では、一対の柱部７が基板保持部材４に一体に設けられているため、新たな部材を必要とせず、また、半田付け作業の効率を高めることができることから、プリント配線基板１が組み込まれる電子機器の低コスト化を図ることができる。
【００２７】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００２８】
１  プリント配線基板
３  リード線
４  基板保持部材
５  ランド
７  柱部
８  穴部
【図１】
2012124415.tif 000003
【図２】
2012124415.tif 000004
【図３】
2012124415.tif 000005
【図４】
2012124415.tif 000006
【図５】
2012124415.tif 000007